(57)【特許請求の範囲】
【請求項１】
音を出力するスピーカを備えた音出力装置へ前記音信号を送信するように構成された携帯端末であって、
マイクと、
前記マイクに入力される周囲のノイズ音を検出するように構成されたノイズ検出部と、
前記ノイズ音の大きさに基づいて、音量を調整するように構成された音量調整部と、
音信号および前記調整された音量を表わす制御信号を近距離通信方式によって前記音出力装置へ送信し、前記音出力装置からの信号を受信するように構成された近距離通信部と、
前記音出力装置からの信号の強度を測定するように構成された測定部と、
前記強度に応じて、前記音量調整部による音量の調整を制御するように構成された制御部とを備えた、携帯端末。
【請求項２】
音を出力するスピーカを備えた音出力装置へ前記音信号を送信するように構成された携帯端末であって、
マイクと、
前記マイクに入力される周囲のノイズ音を検出するように構成されたノイズ検出部と、
前記ノイズ音の大きさに基づいて、音量を調整するように構成された音量調整部と、
音信号および前記調整された音量を表わす制御信号を近距離通信方式によって前記音出力装置へ送信し、前記音出力装置において測定された受信信号の強度を表わす信号を前記近距離通信方式によって受信するように構成された近距離通信部と、
前記強度に応じて、前記音量調整部による音量の調整を制御するように構成された制御部とを備えた、携帯端末。
【請求項３】
前記制御部は、前記強度が第１の閾値以上のときに、前記音量調整部による音量の調整を無効に設定するように構成される、請求項１または２記載の携帯端末。
【請求項４】
前記制御部は、前記強度が第１の閾値以上のときに、前記音量調整部による音量の調整が有効の場合に無効に設定し、前記強度が前記第１の閾値未満のときに、前記音量調整部による音量の調整が無効の場合に有効に設定するように構成される、請求項１または２記載の携帯端末。
【請求項５】
前記制御部は、前記強度が第１の閾値以上、かつ前記ノイズ音が第２の閾値以上のときに、前記音量調整部による音量の調整を無効に設定するように構成される、請求項１または２記載の携帯端末。
【請求項６】
前記制御部は、前記強度の変化に基づいて、前記音量調整部による音量の調整を無効に設定するように構成される、請求項１または２記載の携帯端末。
【請求項７】
前記近距離通信方式は、ブルートゥース方式である、請求項１〜６のいずれか１項に記載の携帯端末。
【請求項８】
音を出力するスピーカを備えた音出力装置へ前記音信号を送信するように構成された携帯端末であって、
マイクと、
前記マイクに入力される周囲のノイズ音を検出するように構成されたノイズ検出部と、
前記ノイズ音の大きさに基づいて、音量を調整するように構成された音量調整部と、
音信号および前記調整された音量を表わす制御信号を近距離通信方式によって前記音出力装置へ送信するように構成された近距離通信部と、
前記マイクに入力される全音量を検出するように構成された全音量検出部と、
前記全音量に応じて、前記音量調整部による音量の調整を制御するように構成された制御部とを備えた、携帯端末。
【請求項９】
携帯端末から送信される音信号および音量を表わす制御信号を近距離通信方式によって受信するように構成された近距離通信部と、
前記携帯端末から送信される音信号に従って音を出力するように構成されたスピーカと、
前記音量を表わす制御信号に基づいて、前記スピーカの音量を制御するように構成された音量制御部と、
前記携帯端末からの信号の強度を測定するように構成された測定部と、
前記強度に応じて、前記音量制御部による音量の制御を制御するように構成された制御部とを備えた、音出力装置。
【請求項１０】
音を出力するスピーカを備えた音出力装置へ前記音信号を送信する携帯端末における音量調整方法であって、
マイクに入力される周囲のノイズ音を検出するようステップと、
前記ノイズ音の大きさに基づいて、音量を調整するステップと、
音信号および前記調整された音量を表わす制御信号を近距離通信方式によって前記音出力装置へ送信するステップと、
前記音出力装置からの信号を前記近距離通信方式によって受信するステップと、
前記音出力装置からの信号の強度を測定するステップと、
前記強度に応じて、前記音量の調整を制御するステップとを備えた、音量調整方法。
【請求項１１】
音を出力するスピーカを備えた音出力装置へ前記音信号を送信する携帯端末における音量調整方法であって、
マイクに入力される周囲のノイズ音を検出するステップと、
前記ノイズ音の大きさに基づいて、音量を調整するステップと、
音信号および前記調整された音量を表わす制御信号を近距離通信方式によって前記音出力装置へ送信するステップと、
前記音出力装置において測定された受信信号の強度を表わす信号を前記近距離通信方式によって受信するステップと、
前記強度に応じて、前記音量の調整を制御するステップとを備えた音量調整方法。
【請求項１２】
音を出力するスピーカを備えた音出力装置へ前記音信号を送信するように構成された携帯端末における音量調整方法であって、
マイクに入力される周囲のノイズ音を検出するステップと、
前記ノイズ音の大きさに基づいて、音量を調整するステップと、
音信号および前記調整された音量を表わす制御信号を近距離通信方式によって前記音出力装置へ送信するステップと、
前記マイクに入力される全音量を検出するステップと、
前記全音量に応じて、前記音量の調整を制御するステップとを備えた、音量調整方法。
【請求項１３】
携帯端末から送信される音信号および音量を表わす制御信号を近距離通信方式によって受信するステップと、
前記携帯端末から送信される音信号に従って、スピーカから音を出力するステップと、
前記音量を表わす制御信号に基づいて、前記スピーカの音量を制御するステップと、
前記携帯端末からの信号の強度を測定するステップと、
前記強度に応じて、前記音量の制御を制御するステップとを備えた、音量調整方法。
【発明の詳細な説明】
【技術分野】
【０００１】
本開示は、携帯端末、音出力装置および音量調整方法に関し、特に近距離通信方式によって音信号を送信することが可能な携帯端末、携帯端末か受信した音信号に従って音を出力するスピーカを備えた音出力装置、そのような携帯端末および音出力装置の音量調整方法に関する。
【背景技術】
【０００２】
従来から、周囲騒音のレベルに応じてスピーカの出力音量を調整できる装置が知られている。
【０００３】
たとえば、特許文献１に記載の装置では、周囲騒音をマイクロホンによって検知し、得られた信号レベルに合わせて、聞き取り易い音量に音響装置の出力を自動調整する。
【先行技術文献】
【特許文献】
【０００４】
【特許文献１】特開平６−３１０９６２号公報
【発明の概要】
【発明が解決しようとする課題】
【０００５】
しかしながら、携帯電話などの装置が再生した音を近距離通信によってスピーカに出力し、スピーカから音を出力するようなシステムにおいて、携帯端末に特許文献１に記載のような周囲騒音のレベルに応じた音量の自動調整機能を持たせた場合には、以下のような問題が発生する。
【０００６】
携帯端末が、周囲騒音のレベルが高いため、スピーカから出力される音量が大きくなるように制御した後、携帯端末を保持したユーザがスピーカに近づいた場合でも、自動調整機能が維持されたままである。その結果、ユーザは、スピーカとの距離が近いため、大音量の音を聞くことなる。
【０００７】
それゆえに、本開示の目的は、携帯端末を保持したユーザがスピーカに近づいた場合に、大音量で音が聞こえるのを防止することが可能な携帯端末、音出力装置および音量調整方法を提供することである。
【課題を解決するための手段】
【０００８】
一実施形態の携帯端末は、音を出力するスピーカを備えた音出力装置へ音信号を送信するように構成された携帯端末であって、マイクと、マイクに入力される周囲のノイズ音を検出するように構成されたノイズ検出部と、ノイズ音の大きさに基づいて、音量を調整するように構成された音量調整部と、音信号および調整された音量を表わす制御信号を近距離通信方式によって音出力装置へ送信し、音出力装置からの信号を受信するように構成された近距離通信部と、音出力装置からの信号の強度を測定するように構成された測定部と、強度に応じて、音量調整部による音量の調整を制御するように構成された制御部とを備える。
【０００９】
他の一実施形態の携帯端末は、音を出力するスピーカを備えた音出力装置へ音信号を送信するように構成された携帯端末であって、マイクと、マイクに入力される周囲のノイズ音を検出するように構成されたノイズ検出部と、ノイズ音の大きさに基づいて、音量を調整するように構成された音量調整部と、音信号および調整された音量を表わす制御信号を近距離通信方式によって音出力装置へ送信し、音出力装置において測定された受信信号の強度を表わす信号を近距離通信方式によって受信するように構成された近距離通信部と、強度に応じて、音量調整部による音量の調整を制御するように構成された制御部とを備える。
【００１０】
他の一実施形態の携帯端末は、音を出力するスピーカを備えた音出力装置へ音信号を送信するように構成された携帯端末であって、マイクと、マイクに入力される周囲のノイズ音を検出するように構成されたノイズ検出部と、ノイズ音の大きさに基づいて、音量を調整するように構成された音量調整部と、音信号および調整された音量を表わす制御信号を近距離通信方式によって音出力装置へ送信するように構成された近距離通信部と、マイクに入力される全音量を検出するように構成された全音量検出部と、全音量に応じて、音量調整部による音量の調整を制御するように構成された制御部とを備える。
【００１１】
一実施形態の音出力装置は、携帯端末から送信される音信号および音量を表わす制御信号を近距離通信方式によって受信するように構成された近距離通信部と、携帯端末から送信される音信号に従って音を出力するように構成されたスピーカと、音量を表わす制御信号に基づいて、スピーカの音量を制御するように構成された音量制御部と、携帯端末からの信号の強度を測定するように構成された測定部と、強度に応じて、音量制御部による音量の制御を制御するように構成された制御部とを備える。
【００１２】
一実施形態の音量調整方法は、音を出力するスピーカを備えた音出力装置へ音信号を送信する携帯端末における音量調整方法であって、マイクに入力される周囲のノイズ音を検出するようステップと、ノイズ音の大きさに基づいて、音量を調整するステップと、音信号および調整された音量を表わす制御信号を近距離通信方式によって音出力装置へ送信するステップと、音出力装置からの信号を近距離通信方式によって受信するステップと、音出力装置からの信号の強度を測定するステップと、強度に応じて、音量の調整を制御するステップとを備える。
【００１３】
他の一実施形態の音量調整方法は、音を出力するスピーカを備えた音出力装置へ音信号を送信する携帯端末における音量調整方法であって、マイクに入力される周囲のノイズ音を検出するステップと、ノイズ音の大きさに基づいて、音量を調整するステップと、音信号および調整された音量を表わす制御信号を近距離通信方式によって音出力装置へ送信するステップと、音出力装置において測定された受信信号の強度を表わす信号を近距離通信方式によって受信するステップと、強度に応じて、音量の調整を制御するステップとを備える。
【００１４】
他の一実施形態の音量調整方法は、音を出力するスピーカを備えた音出力装置へ音信号を送信するように構成された携帯端末における音量調整方法であって、マイクに入力される周囲のノイズ音を検出するステップと、ノイズ音の大きさに基づいて、音量を調整するステップと、音信号および調整された音量を表わす制御信号を近距離通信方式によって音出力装置へ送信するステップと、マイクに入力される全音量を検出するステップと、全音量に応じて、音量の調整を制御するステップとを備える。
【００１５】
一実施形態の音量調整方法は、携帯端末から送信される音信号および音量を表わす制御信号を近距離通信方式によって受信するステップと、携帯端末から送信される音信号に従って、スピーカから音を出力するステップと、音量を表わす制御信号に基づいて、スピーカの音量を制御するステップと、携帯端末からの信号の強度を測定するステップと、強度に応じて、音量の制御を制御するステップとを備える。
【発明の効果】
【００１６】
一実施形態の携帯端末および音出力装置によれば、携帯端末を保持したユーザがスピーカに近づいた場合に、大音量で音が聞こえるのを防止することができる。
【図面の簡単な説明】
【００１７】
【図１】第１の実施形態の携帯端末および音出力装置の構成を表わす図である。
【図２】自動音量調整のためのテーブルを表わす図である。
【図３】第１の実施形態の携帯端末のノイズ音の大きさに基づく自動音量調整の手順を表わすフローチャートである。
【図４】第１の実施形態の携帯端末および音出力装置の音量調整手順を表わすフローチャートである。
【図５】ノイズ音の大きさに基づく自動音量調整の例を表わす図である。
【図６】第１の実施の形態におけるＲＳＳＩに基づく自動音量調整機能の制限の例を表わす図である。
【図７】ノイズ音の大きさに基づく自動音量調整の別の例を表わす図である。
【図８】第１の実施形態におけるＲＳＳＩに基づく自動音量調整機能の制限の別の例を表わす図である。
【図９】第２の実施形態の携帯端末および音出力装置の構成を表わす図である。
【図１０】第２の実施形態の携帯端末および音出力装置の音量調整手順を表わすフローチャートである。
【図１１】第３の実施形態の携帯端末および音出力装置の構成を表わす図である。
【図１２】第３の実施形態の携帯端末および音出力装置の音量調整手順を表わすフローチャートである。
【図１３】第４の実施形態の携帯端末および音出力装置の構成を表わす図である。
【図１４】第４の実施形態の携帯端末および音出力装置の動作手順を表わすフローチャートである。
【図１５】第５の実施形態の携帯端末および音出力装置の動作手順を表わすフローチャートである。
【図１６】第６の実施形態の携帯端末および音出力装置の動作手順を表わすフローチャートである。
【図１７】第６の実施の形態におけるＲＳＳＩに基づく自動音量調整機能の制限の例を表わす図である。
【発明を実施するための形態】
【００１８】
以下、実施の形態について図面を用いて説明する。
［第１の実施形態］
図１は、第１の実施形態の携帯端末２および音出力装置３の構成を表わす図である。
【００１９】
携帯端末２は、スマートフォン、携帯電話、タブレット端末、ノートパソコン、ミュージックプレイヤーなどである。
【００２０】
図１を参照して、携帯端末２は、カメラ６と、ディスプレイ７と、タッチパネル８と、スピーカ９と、マイク１０と、メモリ１１と、制御部１２と、アンテナ１３と、無線通信部１４と、音再生部１５と、音量調整部１６と、ノイズ音検出部１７と、近距離通信部１８と、送信指示部４と、ＲＳＳＩ（Received Signal Strength Indication）測定部１９とを備える。
【００２１】
制御部１２と、音再生部１５と、音量調整部１６と、ノイズ音検出部１７と、送信指示部４は、メモリ１１に記憶されたプログラムを実行するＣＰＵ（Central Processing Unit）などによって実現されることができる。
【００２２】
カメラ６は、被写体を撮影することができる。
ディスプレイ７は、制御部１２から出力される画面を表示することができる。ディスプレイ７は、たとえば、液晶ディスプレイ、有機ＥＬ（Electro-Luminescence）ディスプレイなどである。
【００２３】
タッチパネル８は、ユーザからの入力を受け付ける入力受付部として機能することができる。タッチパネル８は、静電容量方式に従って、物体（ユーザの指またはペンなど）の接触または近接を検出するが、タッチパネル８はこれに限定されず、例えば、赤外線方式、または電磁誘導方式などの方式に従って、ユーザの入力を検出してもよい。なお、入力受付部としては、タッチパネル８以外にも、例えば、接触せず入力を受け付けるものであればよく、例えば、近接センサなどが挙げられる。なお、入力受付部としては、他に、ハードウェアキーなどであってもよい。
【００２４】
スピーカ９は、音再生部１５から出力される音信号を音出力装置３に送信せずに、携帯端末２から音を出力する場合に、音信号に従って、振動音を出力することができる。スピーカ９は、たとえば、電磁式スピーカなどで構成される。あるいは、スピーカ９は、圧電振動素子から構成され、表面のパネルを振動させることでユーザに音を伝えるものであってもよい。
【００２５】
マイク１０には、携帯端末２のユーザの音声および携帯端末２の周囲のノイズ音などが入力される。
【００２６】
メモリ１１は、音楽データなどを記憶することができる。
制御部１２は、携帯端末２の全体を制御することができる。制御部１２は、測定したＲＳＳＩに基づいて、音量調整部１６による自動音量調整機能を制限することができる。
【００２７】
無線通信部１４は、アンテナ１３を通じて、無線基地局と通信を行なうことができる。無線通信部１４は、Ａ／Ｄコンバータ、Ｄ／Ａコンバータ、変調部、復調部、周波数コンバータ、増幅部などを含む。
【００２８】
音再生部１５は、音楽データ、または通話相手の音声などを再生することができる。音再生部１５は、生成した音信号をスピーカ９、または音出力装置３へ送ることができる。
【００２９】
音量調整部１６は、ノイズ音検出部１７によって検出された周囲のノイズ音の大きさに基づいて、音再生部１５から出力された音信号の大きさを調整する。
【００３０】
ノイズ音検出部１７は、マイク１０に入力される音に含まれる周囲のノイズ音の大きさを検出することができる。ノイズ音の抽出については、ノイズキャンセルヘッドホンなどに用いらている様々な手法を用いることができる。
【００３１】
近距離通信部１８は、ブルートゥース方式によって、音出力装置３の近距離通信部２１からの信号を受信し、かつ近距離通信部２１へ信号を送信することができる。携帯端末２側が、ブルートゥース通信のマスタとなる。ブルートゥース方式で送信される信号は、２．４ＧＨｚ帯の信号であり、直進性が高い。それゆえ、他の低い周波数帯の信号に比べて、反射波の影響を受けにくいため、携帯端末２と音出力装置３の間の距離を判定するのに適している。このような反射波の影響を受けにくい特性を有するのであれば、他の通信方式を用いてもよい。
【００３２】
送信指示部４は、携帯端末２において受信信号のＲＳＳＩを測定するために、ＲＳＳＩ測定用信号の送信指示信号を音出力装置３へ出力することができる。
【００３３】
ＲＳＳＩ測定部１９は、音出力装置３から送信されたＲＳＳＩ測定用信号の強度であるＲＳＳＩを測定することができる。
【００３４】
音出力装置３は、近距離通信部２１と、制御部２５と、スピーカ２２と、音量制御部２３と、測定用信号出力部２４とを備える。
【００３５】
制御部２５と、音量制御部２３と、測定用信号出力部２４は、図示しないメモリに記憶されたプログラムを実行するＣＰＵなどによって実現されることができる。
【００３６】
近距離通信部２１は、ブルートゥース方式によって、携帯端末２の近距離通信部１８からの信号を受信し、かつ近距離通信部１８へ信号を送信することができる。音出力装置３側が、ブルートゥース通信のスレーブとなる。
【００３７】
制御部２５は、音出力装置３の全体を制御することができる。
スピーカ２２は、携帯端末２から送信された音信号に従って、振動音を出力することができる。
【００３８】
音量制御部２３は、携帯端末２から送信された音量制御信号によって、スピーカ２２から出力される音の大きさを制御することができる。
【００３９】
測定用信号出力部２４は、ＲＳＳＩ測定用信号の送信信号を受信した後、ＲＳＳＩ測定用信号を出力することができる。
【００４０】
図２は、自動音量調整のためのテーブルを表わす図である。図３は、第１の実施形態の携帯端末２のノイズ音の大きさに基づく自動音量調整の手順を表わすフローチャートである。
【００４１】
図３を参照して、ステップＳ１０１において、ノイズ音検出部１７は、マイク１０に入力される音に含まれる携帯端末１の周囲のノイズ音の大きさ（Ｓ）を検出することができる。
【００４２】
ステップＳ１０２において、音量調整部１６は、図２のテーブルに基づいて、検出されたノイズ音のレベル（Ｌ）を特定することができる。たとえば、ノイズ音の大きさ（Ｓ）が、Ｓ１以上かつＳ２未満の場合に、ノイズ音のレベル（Ｌ）が「２」であると特定される。
【００４３】
ステップＳ１０３において、音量調整部１６は、図２のテーブルに基づいて、ノイズ音のレベル（Ｌ）に基づいて、スピーカの音量（Ｖ）を決定することができる。たとえば、ノイズ音のレベル（Ｌ）が「２」の場合に、スピーカの音量（Ｖ）が「Ｖ２」に決定される。
【００４４】
ステップＳ１０４において、音量調整部１６は、決定されたスピーカの音量を表わす音量制御信号を出力することができる。音量調整部１６は、携帯端末２から音を出力する場合には、音量制御信号に従って、スピーカ９の音量を制御する。音量調整部１６は、音出力装置３から音を出力する場合には、音出力装置３の音量制御部２３に音量制御信号を送信して、音量制御部２３によって音出力装置３のスピーカ２２の音量を制御させる。
【００４５】
図４は、第１の実施形態の携帯端末２および音出力装置３の音量調整手順を表わすフローチャートである。
【００４６】
ステップＳ２０１において、携帯端末２の音再生部１５は、メモリ１１に記録された音楽データの再生を開始し、音の出力を開始することができる。近距離通信部１８は、音再生部１５から出力された音を音出力装置３へ送信することができる。
【００４７】
ステップＳ２０２において、制御部１２は、音量調整部１６におけるノイズ音の大きさに基づく自動音量調整機能を有効（オン）に設定することができる。
【００４８】
ステップＳ２０３において、所定時間の経過を待つ処理が行われることができる。
ステップＳ２０４において、送信指示部４は、ＲＳＳＩ測定用信号の送信指示信号を近距離通信部１８を通じて音出力装置３へ送信することができる。
【００４９】
ステップＳ２０５において、音出力装置３の近距離通信部２１が、音信号を受信した場合には、処理がステップＳ２０６に進む。
【００５０】
ステップＳ２０６において、スピーカ２２が受信した音信号に従って、振動音を発生させることができる。
【００５１】
ステップＳ２０７において、音出力装置３の近距離通信部２１が、音量制御信号を受信した場合には、処理がステップＳ２０８に進む。
【００５２】
ステップＳ２０８において、音量制御部２３が、受信した音量制御信号に従って、スピーカ２２の音量を制御することができる。
【００５３】
ステップＳ２０９において、音出力装置３の近距離通信部２１が、ＲＳＳＩ測定用信号の送信指示信号を受信した場合、処理がステップＳ２１０に進む。
【００５４】
ステップＳ２１０において、測定用信号出力部２４は、ＲＳＳＩ測定用信号を近距離通信部２１を通じて携帯端末２へ送信することができる。
【００５５】
ステップＳ２１１において、携帯端末２の近距離通信部１８は、ＲＳＳＩ測定用信号を受信することができる。
【００５６】
ステップＳ２１２において、ＲＳＳＩ測定部１９は、受信したＲＳＳＩ測定用信号のＲＳＳＩを測定することができる。
【００５７】
ステップＳ２１３において、測定されたＲＳＳＩの値が閾値ＴＨ１以上の場合には、処理がステップＳ２１４に進み、測定されたＲＳＳＩの値が閾値ＴＨ１未満の場合には、処理がステップＳ２１６に進む。
【００５８】
ステップＳ２１４において、音量調整部１６の自動音量調整機能がオンに設定されている場合には、処理がステップＳ２１５に進み、音量調整部１６の自動音量調整機能がオフに設定されている場合には、処理がステップＳ２１８に進む。
【００５９】
ステップＳ２１６において、音量調整部１６の自動音量調整機能がオフに設定されている場合には、処理がステップＳ２１７に進み、音量調整部１６の自動音量調整機能がオンに設定されている場合には、処理がステップＳ２１８に進む。
【００６０】
ステップＳ２１５において、制御部１２は、音量調整部１６におけるノイズ音の大きさに基づく自動音量調整機能を無効（オフ）に設定することができる。その後、処理がステップＳ２１８に進む。
【００６１】
ステップＳ２１７において、制御部１２は、音量調整部１６におけるノイズ音の大きさに基づく自動音量調整機能を有効（オン）に設定することができる。その後、処理がステップＳ２１８に進む。
【００６２】
ステップＳ２１８において、音再生部１５による音信号の出力が終了した場合に、処理が終了し、音再生部１５による音信号の出力が終了していない場合に、処理がステップＳ２０３に戻る。
【００６３】
図５は、ノイズ音の大きさに基づく自動音量調整の例を表わす図である。
位置Ｐ１において、携帯端末２は、窓から侵入する周囲のノイズ音の大きさＸによって、音楽の音量を通常時の音量αから音量βに調整する。音出力装置３は、音量βの音楽の音を出力する。ただし、α＜βである。
【００６４】
携帯端末２を保持したユーザが、音出力装置３に近い位置Ｐ２に移動したときに、携帯端末２に入力されるノイズ音の大きさに変化がないとする。この場合、携帯端末２は、音楽の音量をβに維持する。音出力装置３は、音量βの音楽の音の出力を維持する。ユーザは、音出力装置３に近づくことによって音出力装置３との距離が短くなるため、音出力装置３から出力される音量が音量βで変化しなくても、大音量で音が聞こえることになる。
【００６５】
図６は、第１の実施の形態におけるＲＳＳＩに基づく自動音量調整機能の制限の例を表わす図である。
【００６６】
図５の場合と同様に、位置Ｐ１において、携帯端末２は、窓から侵入する周囲のノイズ音の大きさＸによって、音楽の音量を通常時の音量αから音量βに調整する。音出力装置３は、音量βの音楽の音を出力する。ただし、α＜βである。
【００６７】
携帯端末２を保持したユーザが、音出力装置３に近い位置Ｐ３に移動したときに、携帯端末２に入力されるノイズ音の大きさに変化がないとする。また、携帯端末２と音出力装置３との距離が短くなったことによって、携帯端末２で測定された受信信号のＲＳＳＩが閾値ＴＨ１に増加したとする。携帯端末２は、ノイズ音の大きさに基づく自動音量調整機能をオフにする。その結果、携帯端末２は、音楽の音量を通常時の音量αに戻す。音出力装置３は、音量αの音楽の音を出力する。その後、携帯端末２を保持したユーザが、音出力装置３にさらに近い位置Ｐ２に移動したときも、携帯端末２で測定された受信信号のＲＳＳＩが閾値ＴＨ１を超えているので、ノイズ音の大きさに基づく自動音量調整機能のオフを維持する。したがって、ユーザは音出力装置３に近づくことによって、音出力装置３との距離が短くなっても、音出力装置３から出力される音量がαに変化するので、大音量で音が聞こえるのを防止できる。この閾値ＴＨ１の値は、シミュレーション結果または実際の実験結果などに基づいて調整することが可能である。
【００６８】
図７は、ノイズ音の大きさに基づく自動音量調整の別の例を表わす図である。
位置Ｐ１において、携帯端末２は、窓から侵入する周囲のノイズ音の大きさＹが小さいため、音楽の音量を通常時の音量αに維持する。音出力装置３は、音量αの音楽の音を出力する。ただし、α＜βである。
【００６９】
携帯端末２を保持したユーザが、音出力装置３に近い位置Ｐ２に移動したときに、携帯端末２に入力されるノイズ音の大きさがＸに増加し、携帯端末２は、音楽の音量をβに増加させる。ただし、α＜βである。音出力装置３は、音量βの音楽の音の出力する。ユーザは、音出力装置３に近づくことによって、音出力装置３との距離が短くなり、かつ音出力装置３から出力される音量が増加するため、大音量で音が聞こえることになる。
【００７０】
図８は、第１の実施形態におけるＲＳＳＩに基づく自動音量調整機能の制限の別の例を表わす図である。
【００７１】
図７の場合と同様に、位置Ｐ１において、携帯端末２は、窓から侵入する周囲のノイズ音の大きさＹによって、音楽の音量を通常時の音量αに維持する。音出力装置３は、音量αの音楽の音を出力する。ただし、α＜βである。
【００７２】
携帯端末２を保持したユーザが、音出力装置３に近い位置Ｐ３に移動したときに、携帯端末２に入力されるノイズ音の大きさがＸに増加する。一方、携帯端末２と音出力装置３との距離が短くなったことによって、携帯端末２で測定された受信信号のＲＳＳＩが閾値ＴＨ１に増加したとする。携帯端末２は、ノイズ音の大きさに基づく自動音量調整機能をオフにするため、ノイズ音の大きさが増加したにも係らず、音楽の音量を通常時の音量αに維持する。音出力装置３は、音量αの音楽の音を出力する。その後、携帯端末２を保持したユーザが、音出力装置３にさらに近い位置Ｐ２に移動したときも、携帯端末２で測定された受信信号のＲＳＳＩが閾値ＴＨ１を超えているので、ノイズ音の大きさに基づく自動音量調整機能のオフを維持する。したがって、ユーザは音出力装置３に近づくことによって、音出力装置３との距離が短くなっても、音出力装置３から出力される音量がαに維持されるので、大音量で音が聞こえるのを防止できる。
【００７３】
以上のように、第１の実施形態によれば、音出力装置から送信される信号のＲＳＳＩを測定し、測定値と所定値とを比較することによって、携帯端末を保持したユーザと音出力装置との距離が所定距離まで近くなったかどうかが判定される。所定距離まで近くなったと判定された場合に、携帯端末は、ノイズ音の大きさに基づく自動音量調整機能を無効に設定するので、大音量で音が聞こえるのを防止することができる。
【００７４】
［第２の実施形態］
第２の実施形態では、ＲＳＳＩの測定が、音出力装置３で行われる。
【００７５】
図９は、第２の実施形態の携帯端末２および音出力装置３の構成を表わす図である。
第２の実施形態の携帯端末２が、第１の実施形態の携帯端末２と相違する点は、ＲＳＳＩ測定部１９を備えないことと、送信指示部５４の機能である。
【００７６】
送信指示部５４は、音出力装置３からＲＳＳＩ通知信号を送信するように指示する送信指示信号を出力することができる。
【００７７】
第２の実施形態の音出力装置３が、第１の実施形態の音出力装置３と相違する点は、ＲＳＳＩ測定部２６を備えることと、測定用信号出力部２４の代わりに、ＲＳＳＩ通知信号出力部２７を備えることである。
【００７８】
ＲＳＳＩ測定部２６は、携帯端末２から送信される信号、たとえば音信号のＲＳＳＩを測定することができる。
【００７９】
ＲＳＳＩ通知信号出力部２７は、ＲＳＳＩ測定部２６によって測定されたＲＳＳＩの値を示すＲＳＳＩ通知信号を出力することができる。
【００８０】
図１０は、第２の実施形態の携帯端末２および音出力装置３の音量調整手順を表わすフローチャートである。
【００８１】
ステップＳ２０１において、携帯端末２の音再生部１５は、メモリ１１に記録された音楽データの再生を開始し、音の出力を開始することができる。近距離通信部１８は、音再生部１５から出力された音を音出力装置３へ送信することができる。
【００８２】
ステップＳ２０２において、制御部１２は、音量調整部１６におけるノイズ音の大きさに基づく自動音量調整機能を有効（オン）に設定することができる。
【００８３】
ステップＳ２０３において、所定時間の経過を待つ処理が行われることができる。
ステップＳ３０１において、送信指示部５４は、ＲＳＳＩ通知信号の送信指示信号を近距離通信部１８を通じて音出力装置３へ送信することができる。
【００８４】
ステップＳ２０５において、音出力装置３の近距離通信部２１が、音信号を受信した場合には、処理がステップＳ２０６に進む。
【００８５】
ステップＳ２０６において、スピーカ２２が受信した音信号に従って、振動音を発生させることができる。
【００８６】
ステップＳ３０２において、ＲＳＳＩ測定部２６は、受信した音信号のＲＳＳＩを測定することができる。
【００８７】
ステップＳ２０７において、音出力装置３の近距離通信部２１が、音量制御信号を受信した場合には、処理がステップＳ２０８に進む。
【００８８】
ステップＳ２０８において、音量制御部２３が、受信した音量制御信号に従って、スピーカ２２の音量を制御することができる。
【００８９】
ステップＳ３０３において、音出力装置３の近距離通信部２１が、ＲＳＳＩ通知信号の送信指示信号を受信した場合、処理がステップＳ３０４に進む。
【００９０】
ステップＳ３０４において、ＲＳＳＩ通知信号出力部２７は、ステップＳ３０２で測定されたＲＳＳＩの値を表わすＲＳＳＩ通知信号を近距離通信部２１を通じて携帯端末２へ送信することができる。
【００９１】
ステップＳ３０５において、携帯端末２の近距離通信部１８は、ＲＳＳＩ通知信号を受信する。
【００９２】
以降の処理は、第１の実施形態と同様なので、説明を繰り返さない。
以上のように、第２の実施形態によれば、携帯端末から送信される信号のＲＳＳＩを測定し、測定値と所定値とを比較することによって、携帯端末を保持したユーザと音出力装置との距離が所定距離まで近くなったかどうかが判定される。所定距離まで近くなったと判定された場合に、携帯端末は、ノイズ音の大きさに基づく自動音量調整機能を無効に設定するので、大音量で音が聞こえるのを防止することができる。
【００９３】
［第３の実施形態］
第３の実施形態では、ＲＳＳＩの測定およびノイズ音の大きさに基づく自動音量調整機能のオン／オフが、音出力装置３で行われる。
【００９４】
図１１は、第３の実施形態の携帯端末２および音出力装置３の構成を表わす図である。
第３の実施形態の携帯端末２が、第２の実施形態の携帯端末２と相違する点は、送信指示部５４を備えないことと、制御部１２が音量調整部１６の自動音量調整機能のオン／オフを制御しないことである。
【００９５】
第３の実施形態の音出力装置３が、第２の実施形態の音出力装置３と相違する点は、ＲＳＳＩ通知信号出力部２７を備えないことと、音量制御部２３が、携帯端末２から送信される音量制御信号に従って、スピーカ２２の音量を制御するかどうかを切り替えることができる点である。
【００９６】
図１２は、第３の実施形態の携帯端末２および音出力装置３の音量調整手順を表わすフローチャートである。
【００９７】
ステップＳ２０１において、携帯端末２の音再生部１５は、メモリ１１に記録された音楽データの再生を開始し、音の出力を開始することができる。近距離通信部１８は、音再生部１５から出力された音を音出力装置３へ送信することができる。
【００９８】
ステップＳ２０２において、制御部１２は、音量調整部１６におけるノイズ音の大きさに基づく自動音量調整機能を有効（オン）に設定することができる。
【００９９】
ステップＳ４０１において、音出力装置３の制御部２５は、音量制御部２３の音量制御機能を有効（オン）に設定することができる。音量制御部２３は、音量制御機能が有効に設定された場合には、携帯端末から送信される音量制御信号に従って、スピーカ２２の音量を制御することができる。
【０１００】
ステップＳ２０５において、音出力装置３の近距離通信部２１が、音信号を受信した場合には、処理がステップＳ２０６に進む。
【０１０１】
ステップＳ２０６において、スピーカ２２が受信した音信号に従って、振動音を発生させることができる。
【０１０２】
ステップＳ４０２において、ＲＳＳＩ測定部２６は、受信した音信号のＲＳＳＩを測定することができる。
【０１０３】
ステップＳ４０３において、測定されたＲＳＳＩの値が閾値ＴＨ１以上の場合には、処理がステップＳ４０４に進み、測定されたＲＳＳＩの値が閾値ＴＨ１未満の場合には、処理がステップＳ４０６に進む。
【０１０４】
ステップＳ４０４において、音量制御機能がオンに設定されている場合には、処理がステップＳ４０５に進む。
【０１０５】
ステップＳ４０６において、音量制御機能がオフに設定されている場合には、処理がステップＳ４０７に進む。
【０１０６】
ステップＳ４０５において、制御部２５は、音量制御部２３の音量制御機能を無効（オフ）に設定することができる。音量制御部２３は、音量制御機能が無効に設定された場合には、携帯端末から送信される音量制御信号を無視し、スピーカ２２の音量を制御しないようにすることができる。
【０１０７】
ステップＳ４０７において、制御部２５は、音量制御部２３の音量制御機能を有効（オン）に設定することができる。
【０１０８】
ステップＳ２１８において、音再生部１５による音信号の出力が終了した場合に、処理が終了する。
【０１０９】
以上のように、第３の実施形態によれば、携帯端末から送信される信号のＲＳＳＩを測定し、測定値と所定値とを比較することによって、携帯端末を保持したユーザと音出力装置との距離が所定距離まで近くなったかどうかが判定される。所定距離まで近くなったと判定された場合に、音出力装置は、携帯端末から送信される音量制御信号を無視するので、大音量で音が聞こえるのを防止することができる。
【０１１０】
［第４の実施形態］
第４の実施形態では、携帯端末のマイクに入力される全音量に基づいて、ノイズ音の大きさに基づく自動音量調整機能のオン／オフが制御される。
【０１１１】
図１３は、第４の実施形態の携帯端末２および音出力装置３の構成を表わす図である。
第４の実施形態の携帯端末２が、第１の実施形態の携帯端末２と相違する点は、送信指示部４を備えないことと、全音量検出部５を備えることである。
【０１１２】
全音量検出部５は、マイク１０に入力される全音量を検出することができる。全音量は、ノイズ音および音出力装置３のスピーカ２２から出力される音を含むマイクに入力されるすべての音の合成音の大きさである。
【０１１３】
制御部１２は、全音量が所定の閾値ＴＨ２以上の場合に、音量調整部１６による自動音量調整機能をオフ（無効）に設定する。このように設定する理由は、携帯端末２を保持したユーザが音出力装置３に近づくことによって、マイク１０に入力される音量が増加し、さらにノイズ源が音出力装置３の方向に存在する場合には、携帯端末２を保持したユーザが音出力装置３に近づくことによって、マイク１０に入力される音量がさらに増加するからである。したがって、マイク１０に入力される全音量によって、自動音量調整機能を無効に設定するかどうかを決定することができるからである。
【０１１４】
第４の実施形態の音出力装置３が、第１の実施形態の音出力装置３と相違する点は、測定用信号出力部２４を備えないことである。
【０１１５】
図１４は、第４の実施形態の携帯端末２および音出力装置３の動作手順を表わすフローチャートである。
【０１１６】
ステップＳ２０１において、携帯端末２の音再生部１５は、メモリ１１に記録された音楽データの再生を開始し、音の出力を開始することができる。近距離通信部１８は、音再生部１５から出力された音を音出力装置３へ送信することができる。
【０１１７】
ステップＳ２０２において、制御部１２は、音量調整部１６におけるノイズ音の大きさに基づく自動音量調整機能を有効（オン）に設定することができる。
【０１１８】
ステップＳ２０３において、所定時間の経過を待つ処理が行われることができる。
ステップＳ２０４において、送信指示部４は、ＲＳＳＩ測定用信号の送信指示信号を近距離通信部１８を通じて音出力装置３へ送信することができる。
【０１１９】
ステップＳ２０５において、音出力装置３の近距離通信部２１が、音信号を受信した場合には、処理がステップＳ２０６に進む。
【０１２０】
ステップＳ２０６において、スピーカ２２が受信した音信号に従って、振動音を発生させることができる。
【０１２１】
ステップＳ２０７において、音出力装置３の近距離通信部２１が、音量制御信号を受信した場合には、処理がステップＳ２０８に進む。
【０１２２】
ステップＳ２０８において、音量制御部２３が、受信した音量制御信号に従って、スピーカ２２の音量を制御することができる。
【０１２３】
ステップＳ５０１において、携帯端末２の全音量検出部５は、マイク１０に入力される全音量を検出することができる。
【０１２４】
ステップＳ５０２において、検出された全音量が閾値ＴＨ２以上の場合には、処理がステップＳ２１４に進み、検出された全音量が閾値ＴＨ２未満の場合には、処理がステップＳ２１６に進む。
【０１２５】
以降の処理は、第１の実施形態と同様なので、説明を繰り返さない。
以上のように、第４の実施形態によれば、マイクに入力される全音量が閾値以上となった場合に、携帯端末は、ノイズ音の大きさに基づく自動音量調整機能を無効に設定するので、大音量で音が聞こえるのを防止することができる。
【０１２６】
［第５の実施形態］
第５の実施形態では、音出力装置から送信される信号のＲＳＳＩと、ノイズ音の大きさの両方に基づいて、ノイズ音の大きさに基づく自動音量調整機能のオン／オフが制御される。
【０１２７】
図１５は、第５の実施形態の携帯端末２および音出力装置３の動作手順を表わすフローチャートである。
【０１２８】
図１５のフローチャートが、第１の実施形態の図４のフローチャートと相違する点は、図１５のフローチャートでは、ステップＳ２１２とステップＳ２１３との間に、ステップＳ６０１が含まれることである。
【０１２９】
ステップＳ６０１において、ノイズ音検出部１７によって検出されたノイズ音の大きさが閾値ＴＨ３以上の場合には、処理がステップＳ２１３に進む。ノイズ音検出部１７によって検出されたノイズ音の大きさが閾値ＴＨ３未満の場合には、処理がステップＳ２１６に進む。
【０１３０】
したがって、制御部１２は、ノイズ音の大きさが閾値ＴＨ３以上、かつＲＳＳＩが閾値ＴＨ１以上、かつ自動音量調整機能がオンの場合に、音量調整部１６のノイズ音の大きさに基づく自動音量調整機能をオフに変更する。
【０１３１】
制御部１２は、ノイズ音の大きさが閾値ＴＨ３未満またはＲＳＳＩが閾値ＴＨ１未満、かつ自動音量調整機能がオフの場合に、音量調整部１６のノイズ音の大きさに基づく自動音量調整機能をオンに変更する。
【０１３２】
以上のように、第５の実施形態によれば、音出力装置から送信される信号のＲＳＳＩとノイズ音の大きさに基づいて、携帯端末は、ノイズ音の大きさに基づく自動音量調整機能を無効に設定するので、大音量で音が聞こえるのを防止することができる。
【０１３３】
なお、第５の実施形態は、第１の実施形態における自動音量調整機能を変形したものであるが、第２および第３の実施形態における自動音量調整機能を同様にして変形することもできる。すなわち、図１０のステップＳ３０５とステップＳ２１３との間、または図１２のステップＳ４０２とステップＳ４０３との間にステップＳ６０１が含まれるものとしてもよい。
【０１３４】
［第６の実施形態］
第６の実施形態では、音出力装置から送信される信号のＲＳＳＩの値が前回値よりも所定知以上増加したか否かに基づいて、ノイズ音の大きさに基づく自動音量調整機能のオン／オフが制御される。所定値は、ノイズを考慮したマージンであり、ノイズがない場合には０であってもよい。
【０１３５】
図１６は、第６の実施形態の携帯端末２および音出力装置３の動作手順を表わすフローチャートである。
【０１３６】
図１６のフローチャートが、第１の実施形態の図４のフローチャートと相違する点は、図１６のフローチャートには、ステップＳ２１３の代わりに、ステップＳ７０１が含まれることである。
【０１３７】
ステップＳ７０１において、ＲＳＳＩの値が前回の測定値よりも所定値以上増加した場合には、処理がステップＳ２１４に進む。ＲＳＳＩの値が前回の測定値よりも所定値以上増加しなかった場合には、処理がステップＳ２１６に進む。
【０１３８】
したがって、制御部１２は、ＲＳＳＩの値が前回の測定値よりも所定値以上増加し、かつ自動音量調整機能がオンの場合に、音量調整部１６のノイズ音の大きさに基づく自動音量調整機能をオフに変更する。
【０１３９】
制御部１２は、ＲＳＳＩの値が前回の測定値よりも所定値以上増加せず、かつ自動音量調整機能がオフの場合に、音量調整部１６のノイズ音の大きさに基づく自動音量調整機能をオンに変更する。
【０１４０】
図１７は、第６の実施の形態におけるＲＳＳＩに基づく自動音量調整機能の制限の例を表わす図である。
【０１４１】
位置Ｐ１において、携帯端末２は、窓から侵入する周囲のノイズ音の大きさＸによって、音楽の音量を通常時の音量αから音量βに調整する。音出力装置３は、音量βの音楽の音を出力する。ただし、α＜βである。
【０１４２】
携帯端末２を保持したユーザが、音出力装置３に近い位置Ｐ４に移動したときに、携帯端末２に入力されるノイズ音の大きさに変化がないとする。また、携帯端末２と音出力装置３との距離が短くなったことによって、携帯端末２で測定された受信信号のＲＳＳＩが前回の測定値よりも所定値以上増加する。携帯端末２は、ノイズ音の大きさに基づく自動音量調整機能をオフにする。その結果、携帯端末２は、音楽の音量を通常時の音量αに戻す。音出力装置３は、音量αの音楽の音を出力する。その後、携帯端末２を保持したユーザが、音出力装置３にさらに近い位置Ｐ２に移動したときも、携帯端末２で測定された受信信号のＲＳＳＩが前回測定値よりも所定値以上増加するので、ノイズ音の大きさに基づく自動音量調整機能のオフを維持する。したがって、ユーザは音出力装置３に近づくことによって、音出力装置３との距離が短くなっても、音出力装置３から出力される音量がαに変化するので、大音量で音が聞こえるのを防止できる。
【０１４３】
以上のように、第６の実施形態によれば、音出力装置から送信される信号のＲＳＳＩを測定し、測定値の変化に基づいて、携帯端末を保持したユーザと音出力装置との距離が近くなったかどうかが判定される。近くなったと判定された場合に、携帯端末は、ノイズ音の大きさに基づく自動音量調整機能を無効に設定するので、大音量で音が聞こえるのを防止することができる。
【０１４４】
なお、上記の実施形態では、最新のＲＳＳＩの測定値が前回の測定値と比較されたが、これに限定するものではない。たとえば、携帯端末が、音出力開始後初めて測定したＲＳＳＩの値と、最新のＲＳＳＩ値とを比較するものとしてもよい。
【０１４５】
なお、第６の実施形態は、第１の実施形態における自動音量調整機能を変形したものであるが、第２および第３の実施形態における自動音量調整機能を同様にして変形することもできる。すなわち、図１０のステップＳ２１３の代わりに、または図１２のステップＳ２０３の代わりに、ステップＳ７０１が実行されるものとしてもよい。
【０１４６】
（変形例）
本開示は、上記の実施形態の限定されるものではなく、たとえば以下のような変形例も含む。
【０１４７】
（１）近距離通信方式
上述の実施形態では、近距離通信方式としてブルートゥース方式が用いられることとしたが、これに限定されるものではなく、その他の方式であってもよい。
【０１４８】
（２）ＲＳＳＩ測定用信号、ＲＳＳＩ通知信号の送信タイミング
上記の実施形態では、マスタ側の携帯端末からスレーブ側の音出力装置へ、ＲＳＳＩ測定用信号またはＲＳＳＩ通知信号の送信を指示するものとしたが、これに限定するものではない。音出力装置が、音出力装置が決めた任意のタイミングでＲＳＳＩ測定用信号またはＲＳＳＩ通知信号を送信するものとしてもよい。
【０１４９】
今回開示された実施の形態はすべての点で例示であって制限的なものではないと考えられるべきである。本開示の範囲は上記した説明ではなくて特許請求の範囲によって示され、特許請求の範囲と均等の意味および範囲内でのすべての変更が含まれることが意図される。
【符号の説明】
【０１５０】
２  携帯端末、３  音出力装置、４，５４  送信指示部、５  全音量検出部、６  カメラ、７  ディスプレイ、８  タッチパネル、９，２２  スピーカ、１０  マイク、１１  メモリ、１２，２５  制御部、１３  アンテナ、１４  無線通信部、１５  音再生部、１６  音量調整部、１７  ノイズ音検出部、１８，２１  近距離通信部、１９，２６  ＲＳＳＩ測定部、２３  音量制御部、２４  測定用信号出力部、２７  ＲＳＳＩ通知信号出力部。
【図１】
0006503226.tif 000002
【図２】
0006503226.tif 000003
【図３】
0006503226.tif 000004
【図４】
0006503226.tif 000005
【図５】
0006503226.tif 000006
【図６】
0006503226.tif 000007
【図７】
0006503226.tif 000008
【図８】
0006503226.tif 000009
【図９】
0006503226.tif 000010
【図１０】
0006503226.tif 000011
【図１１】
0006503226.tif 000012
【図１２】
0006503226.tif 000013
【図１３】
0006503226.tif 000014
【図１４】
0006503226.tif 000015
【図１５】
0006503226.tif 000016
【図１６】
0006503226.tif 000017
【図１７】
0006503226.tif 000018